(57)【要約】【課題】  不眠症の患者が医療機関へ出向いて治療を受ける時間と体の負担を軽減し、不眠症治療薬の投与により懸念される副作用を防ぐための貼付剤を提供する。【解決手段】  第１基材層と遠赤外線放射体及び生体電流改善剤を含有する合成樹脂層と第２基材層と粘着剤層と剥離シートとが順に積層された構成、又は香料を含む第１基材層と遠赤外線放射体及び生体電流改善剤を含有する合成樹脂層と第２基材層と粘着剤層と剥離シートとが順に積層された構成の貼付剤である。【選択図】        図１
2005279232.tif 000002
【特許請求の範囲】
【請求項１】
第１基材層と遠赤外線放射体及び生体電流改善剤を含有する合成樹脂層と第２基材層と粘着剤層と剥離シートとが順に積層された構成からなることを特徴とする貼付剤。
【請求項２】
前記第１基材層に香料が含有されている構成からなることを特徴とする請求項１記載の貼付剤。
【請求項３】
前記合成樹脂層が規則的に配列された点状に形成されている構成からなることを特徴とする請求項１または２記載の貼付剤。
【請求項４】
請求項１〜３に記載の貼付剤を金属蒸着又は金属酸化物蒸着ポリエチレンテレフタレートフィルムないしはアルミニウム箔を含むガスバリヤー性積層フィルムにて包装したことを特徴とする包装体。
【発明の詳細な説明】
【技術分野】
【０００１】  本発明は、不眠症を患っている人が、遠赤外線放射体と生体電流改善剤にて身体のツボを刺激すると同時に、安眠を誘発する香料を吸引することにより不眠症の改善を図ることのできる貼付剤及びその包装体に関する。
【背景技術】
【０００２】  従来、貼付剤としては、吸液性を有する吸液シートの下面にアルコール及び香料の透過し難い支持体を設け、支持体の下面に粘着剤層を形成し、吸液シートに香料を含浸させた構成の芳香性貼付剤（例えば、特許文献１参照）等が知られている。しかしながら、この芳香性貼付剤は、日常生活における環境から受ける著しいストレスにより、過度にもとめられる集中力、その反動としての不眠、あるいは催眠、緊張状態の継続などを香料の芳香性により解消または緩和するための貼付剤であり、香料の芳香性のみによって、ストレス、催眠、緊張状態を緩和しようすものであり、不眠，催眠，緊張状態を緩和する効果が充分ではないという欠点を有している。
【特許文献１】特開２００１−１７２１５３号公報
【発明の開示】
【発明が解決しようとする課題】
【０００３】  本発明の目的は、遠赤外線放射体と生体電流改善剤により身体のツボを刺激するとともに安眠を誘発する香料を吸引してリラックスさせる、遠赤外線放射体及び生体電流改善剤と香料との相乗効果により、不眠症の改善を図ることのできる貼付剤及びその包装体を提供することである。
【課題を解決するための手段】
【０００４】  第１基材層と遠赤外線放射体及び生体電流改善剤を含有する合成樹脂層と第２基材層と粘着剤層と剥離シートとが順に積層された構成からなる貼付剤である。【０００５】  前記第１基材層に香料が含有されている構成の貼付剤である。【０００６】  前記合成樹脂層が規則的に配列された点状に形成されている構成の貼付剤である。【０００７】  上記の貼付剤を金属蒸着又は金属酸化物蒸着ポリエチレンテレフタレートないしはアルミニウム箔を含むガスバリヤー性積層フィルムにて包装した包装体である。
【発明の効果】
【０００８】  請求項１に係る発明では、遠赤外線放射体の電磁波が共鳴することにより細胞をより活性化させるとともに、生体電流改善剤により生体電流を調整し体液の流れを改善させることにより、安眠誘発効果を高めることができる。【０００９】  請求項２に係る発明では、香料により精神的にリラックスさせ自律神経を安定させる効果が加わるのでより一層安眠誘発効果を高めることができる。【００１０】  請求項３に係る発明では、合成樹脂層が規則的に配列された点状に形成されているので貼付剤の風合いが良くなるとともに貼付剤の製造工程を簡略化することができる。【００１１】  請求項４に係る発明では、香料の香気成分が揮散してしまうのを防止できるので貼付剤の効果を失わせることなく期間保存することが可能になる。
【発明を実施するための最良の形態】
【００１２】  以下、図面を引用して本発明の実施の形態を説明する。
図１は本発明の第１実施形態を示す平面図、図２は図１のＩ−Ｉ線断面図、図３は本発明の第２実施形態を示す図２に対応する断面図、図４は本発明の貼付剤を鼻に貼着する位置図、図５は本発明の貼付剤を頭部裏側及び首部裏側に貼着する位置図、図６は本発明の貼付剤を足の裏側に貼着する位置図であり、１，１’は貼付剤、２，２’は第１基材層、３は合成樹脂層、４は第２基材層、５は粘着剤層、６は剥離シート、７は鼻に貼着する位置、８は頭部裏側に貼着する位置、９は首部裏側に貼着する位置、１０は足の裏側に貼着する位置をそれぞれ表す。【００１３】  本発明の第１実施形態の貼付剤１は、平面図が図１に、積層構成を示す断面図が図２にそれぞれ示されるとおりである。平面形状は、図１に示すように、第１基材層２と第２基材層４との間に規則的に配列された点状に合成樹脂層３が形成されており、断面形状は、図２に示すように、第１基材層２と遠赤外線放射体及び生体電流改善剤を含有する合成樹脂層３と第２基材層４と粘着剤層５と剥離シート６とが順に積層された構成からなり、第１基材層２と第２基材層４とが規則的に配列された点状の合成樹脂層３により接着されて積層された構成である。第１実施形態では、平面形状を長方形状としているが、形状は貼付ける位置に適した形状及び大きさとすればよく、円形状、楕円形状、その他の任意の形状及び大きさとすることができる。第１実施形態の貼付剤を、剥離シート６を剥離して、粘着剤層５にて身体のツボに貼ることにより、遠赤外線放射体の電磁波が共鳴することにより細胞をより活性化させるとともに、生体電流改善剤により生体電流を調整し体液の流れを改善するため、安眠誘発効果を向上させることができる。【００１４】  本発明の第２実施形態の貼付剤１’は、平面形状は第１図に、積層構成を示す図２に対応する断面図が図３にそれぞれ示すおりであり、香料を含有する第１基材層２’とされている点で異なる以外は、基本的な積層構成は第１実施形態と同じである。第２実施形態では、剥離シート６を剥離して、粘着剤層５にて身体のツボに貼ることにより、香料の作用により精神的にリラックスさせ自律神経を安定させることができると同時に、遠赤外線放射体の電磁波が共鳴することにより細胞をより活性化させるとともに、生体電流改善剤により生体電流を調整し体液の流れを改善させるため、安眠誘発効果をより一層向上させることができる。【００１５】  本発明における第１基材層及び第２基材層を構成する素材としては吸収性及び通気性を有する不織布、布、紙、多孔性プラスチックシート等を使用することができるが、不織布を使用するのが最も好ましい。不織布としては、レーヨン，綿，ポリプロピレン，ポリエステル，ナイロン，ビニロン等の繊維からなる乾式不織布及び湿式不織布、合成繊維からなるスパンボンド不織布等を使用することができるが、レーヨン又は綿からなる不織布を使用するのが好ましい。不織布の厚さとしては３０〜１２０ｇ／ｍ２のものが使用できるが、５０〜１００ｇ／ｍ２程度のものが最も適している。【００１６】  遠赤外線放射体としては、合成セラミックや天然鉱石を使用することができる。天然鉱石の遠赤外線放射体としては、トルマリン、花崗岩石、透輝石、他���ヘルンホルン等があるが、特に、九州で採掘される天鉱石ＳＧＥなる遠赤外線放射体（オンリー株式会社製）が好適に使用できる。天鉱石ＳＧＥは、波長が４〜１４μｍの遠赤外線を放射し、少なくともシリコン約２８％、アルミニウム約１０％、カリウム約６％、鉄約４％を含有する岩石を粉砕して微粉末としたものである。生体電流改善剤としてはチタンを使用するのが好ましい。遠赤外線放射体及びチタンは粉末の状態で使用され、粉末の粒子の大きさとしては１．０〜１００μｍのものが使用できるが、５０〜７０μｍのものが好ましい。【００１７】  遠赤外線放射体及び生体電流改善剤を含有させるのに使用する合成樹脂としてはポリウレタン水性組成物からなる水性ウレタン樹脂が使用できる。水性ウレタン樹脂としては、例えば、スーパーフレックス３００（第一工業製薬株式会社製）等がある。遠赤外線放射体と合成樹脂との配合比（固形分）は１０〜８０：１００であり、チタンと遠赤外線放射体との配合比（固形分）は３〜３０：１００とするのが適当である。第２基材層４の表面に規則的に配列された点状に形成する遠赤外線放射体及び生体電流改善剤を含有する合成樹脂の塗布量としては１００〜３００ｇ／ｍ２（固形分）の範囲が適当である。この塗布量の範囲内で点の大きさと密度を変えることができる。第２基材層４の表面に規則的に配列された点状に形成する遠赤外線放射体及び生体電流改善剤を含有する合成樹脂を塗布するには、シルクスクリーン方式等により印刷することにより行うことができる。シルクスクリーン方式の印刷にて使用するシルクスクリーン版のレジスト膜を厚くすることにより塗布量を多くすることができる。１ｍｍ程度の厚さのプラスチック板に所定の大きさの穴を所定の密度で形成したものをシルクスクリーン版として使用してもよい。第２基材層面に遠赤外線放射体及び生体電流改善剤を含有する合成樹脂を塗布した後に、第１基材層を重ね合わせることにより第１基材層と第２基材層を簡単に積層することができる。【００１８】  安眠を誘発する香料としては、ラベンダー、マンダリン、ローズ、ネロリ、レモン、スィートマジョラム、カモミール、ジャスミンサイプレス、クラリセージ等を使用することができるが、中でも、ラベンダー、カモミール、マンダリンが好適に使用できる。使用する香料は液体状であるかカプセル状であってもよい。香料を第１基材に塗布する方法としては、香料の塗布量が不織布の重量に対して０．１〜５％となるように、ロールコート、グラビア印刷、スキージコート、スプレイ等により行うことができる。【００１９】  粘着剤層５を形成する粘着剤組成物としては、肌にマイルドであれば特に限定されないが、アクリル系、ゴム系、ラテックス系、ロジン系等のエマルジョンタイプ、ホットメルトタイプのもを使用するのが好ましい。支持体層に粘着剤を形成する方法としては、剥離シート面にエマルジョンタイプの粘着剤組成物を所定厚さに塗布し乾燥した後に支持体層と積層する方法、ないしはホットメルトタイプの粘着剤組成物を剥離シート面に熱溶融押出しにより塗布して支持体層と積層する方法により行うことができる。【００２０】  本発明の貼付剤は、金属蒸着又は金属酸化物蒸着２軸延伸ポリエチレンテレ��タレートフィルムとポリエチレンとの積層体、２軸延伸ポリエチレンテレフタレートフィルムとアルミニウム箔とポリエチレンとの積層体のように、ガスバリヤー性の優れた積層体からなる袋に包装されて包装体とされるものである。こうすることより、貼付剤の長期の保存が可能となる。【００２１】  本発明の貼付剤の形状は任意であり、円形状、方形状、長方形状、その他の形状とすることができる。本発明の貼付剤は、図４に示すように鼻の位置７に貼着するか、図５に示すように頭部裏側の完骨の位置８又は首部裏側の天柱の位置９に貼着するか、図６に示すように足裏の失眠穴の位置１０に貼着して使用する。鼻に貼るか、首の後ろや足裏にある不眠のつぼに貼って刺激することにより、衰弱した細胞を蘇らせ活性化させることにより、不眠症を改善することができ、生体電流調整剤により乱れた生体電流を正常化し疲れた細胞を活性化させ体の緊張をほぐすことができる。
【図面の簡単な説明】
【００２２】
【図１】本発明の第１実施形態を示す平面図。
【図２】図１のＩ−Ｉ断面図。
【図３】本発明の第２実施形態を示す図２に対応する断面図。
【図４】本発明の貼付剤を鼻に貼着する位置図。
【図５】本発明の貼付剤を頭部裏側及び首部裏側に貼着する位置図。
【図６】本発明の貼付剤を足の裏側に貼着する位置図。
【符号の説明】
【００２３】  １，１’  貼付剤
２，２’  第１基材層
３  合成樹脂層
４  第２基材層
５  粘着剤層
６  剥離シート
７  鼻に貼着する位置
８  頭部裏側に貼着する位置
９  首部裏側に貼着する位置
１０  足の裏側に貼着する位置
【図１】
2005279232.tif 000003
【図２】
2005279232.tif 000004
【図３】
2005279232.tif 000005
【図４】
2005279232.tif 000006
【図５】
2005279232.tif 000007
【図６】
2005279232.tif 000008